(57)【要約】試料収納体外表面のバーコードや二次元コードを誤認識することなく良好に読み取ることができる以下の構成を有する試料収納体。透明素材で形成され上面開口を持つ収納管（１１０）；収納管（１１０）の底面から側面にかけて一体に被せて外装され、光学式読み取り手段により読み取り可能なコードの書き込みが可能な不透明書き込み外装体（１２０）；収納管（１１０）ではなく不透明書き込み外装体（１２０）に対して螺合または嵌合することにより収納管（１１０）を封止する蓋体（１３０）；不透明書き込み外装体（１２０）に設けられ、不透明書き込み外装体（１２０）が外装された状態において内部試料（２００）の観察が可能となる少なくとも１つの窓（１２５）；蓋体の螺合時の水平方向の摩擦力を減じ、垂直の押下力に効率よく変換するスライド板（１５０）。
2009150881.tif 000002
【特許請求の範囲】
【請求項１】
光透過性素材で形成され、上面開口を持ち、内部に保持している試料の観察を可能とした収納管と、
前記収納管の底面から側面にかけて一体に被せて外装させた、光学式読み取り手段により読み取り可能なコード情報が直接書き込まれた媒体である不透明書き込み外装体と、
前記不透明書き込み外装体と螺合または嵌合し、前記収納管の上面開口に対する蓋となる蓋体と、
前記不透明書き込み外装体において、前記コード情報が書き込まれる書き込み領域以外の領域に設けられ、前記収納管に外装された状態において内部の前記試料の観察が可能となる少なくとも１つの窓とを備え、
前記不透明書き込み外装体と前記蓋体により前記収納管を封止し、前記不透明書き込み外装体に書き込まれている前記コード情報の読み取りと、前記窓を介した内部の前記試料の観察とを可能とした、不透明書き込み外装体を外装させた試料収納体。
【請求項２】
前記コード情報書き込み領域のうち、前記収納管の底面に対応する個所と側面に対応する個所の双方に前記コード情報が書き込まれている請求項１又は２に記載の試料収納体。
【請求項３】
前記不透明書き込み外装体を不透明なプラスチック素材とすることにより、前記コード情報書き込み領域を通した前記収納管を不可視とし、前記光学式読み取り手段による前記コード情報の読み取りにおいて前記収納管の中にある前記試料の色調・濁りによる影響を受けないようにしたことを特徴とした請求項１または２に記載の試料収納体。
【請求項４】
前記不透明書き込み外装体の素材色が、前記コード情報の表示においてバーまたはドットとして表現される色と同色であり、
前記不透明書き込み外装体に対する前記コード情報の直接書き込みが、前記コード情報の表示においてバーまたはドットとなる部分以外の部分を前記素材色から異なる色に発色させることにより前記コード情報を表現するものである請求項１から３のいずれか１項に記載の試料収納体。
【請求項５】
前記不透明書き込み外装体の素材色が、前記コード情報の表示においてバーまたはドットとして表現される色と異なる色であり、
前記不透明書き込み外装体に対する前記コード情報の直接書き込みが、前記コード情報の表示においてバーまたはドットとなる部分を前記素材色から前記異なる色に発色させることにより前記コード情報を表現するものである請求項１から３のいずれか１項に記載の試料収納体。
【請求項６】
前記収納管の上面開口を直接密封するパッキンと、
前記蓋体の裏面と前記パッキンの間に間挿され、前記蓋体の水平方向の回転力の前記パッキンへの伝達を抑制するスライド板とを備え、
前記蓋体の前記不透明書き込み外装体への螺合または嵌合時に前記蓋体の内面に生じる水平方向の回転力と垂直方向の押下力のうち、前記蓋体の水平方向の回転力は前記パッキンに伝達させず、前記蓋体の垂直方向の押下力のみを前記パッキンに伝達させることを特徴とする請求項１から５のいずれか１項に記載の試料収納体。
【請求項７】
前記スライド板上面に前記蓋体裏面との水平方向の摩擦係数が小さくなる摩擦力低減構造物を設け、前記蓋体の水平方向の回転力が前記摩擦力低減構造物により前記スライドへの伝達が抑制されることを特徴とする請求項６に記載の試料収納体。
【請求項８】
前記蓋体の下面に前記蓋体裏面との水平方向の摩擦係数が小さくなる摩擦力低減構造物を設け、前記蓋体の水平方向の回転力が前記摩擦力低減構造物により前記スライドへの伝達が抑制されることを特徴とする請求項６または７に記載の試料収納体。
【請求項９】
前記不透明書き込み外装体と螺合または嵌合し、前記収納管に対する蓋となる蓋体と、
前記収納管の上面開口を直接密封するパッキンを備え、
前記パッキンにおける前記蓋体裏面への対向面に、前記蓋体裏面との摩擦係数が小さくなる摩擦力低減構造物を設け、
前記蓋体の前記不透明書き込み外装体への螺合または嵌合時に前記蓋体の内面に生じる水平方向の回転力と垂直方向の押下力のうち、前記蓋体の水平方向の回転力は前記パッキンに伝達させず、前記蓋体の垂直方向の押下力のみを前記パッキンに伝達させることを特徴とする請求項１から５のいずれか１項に記載の試料収納体。
【請求項１０】
前記摩擦力低減構造物が複数の小突起であり対向面に対する接触面積を小さくする構造物であることを特徴とする請求項９に記載の試料収納体。
【請求項１１】
前記収納管と螺合または嵌合し、前記収納管の上面開口に対する蓋となる蓋体と、
前記収納管の上面開口を直接密封するパッキンと、
前記蓋体の裏面と前記パッキンの間に間挿され、前記蓋体の水平方向の回転力の前記パッキンへの伝達を抑制するスライド板とを備え、
前記蓋体の前記収納管への螺合または嵌合時に前記蓋体の内面に生じる水平方向の回転力と垂直方向の押下力のうち、前記蓋体の水平方向の回転力は前記パッキンに伝達させず、前記蓋体の垂直方向の押下力のみを前記パッキンに伝達させることを特徴とする請求項１から５のいずれか１項に記載の試料収納体。
【請求項１２】
前記スライド板上面に前記蓋体裏面との水平方向の摩擦係数が小さくなる摩擦力低減構造物を設け、前記蓋体の水平方向の回転力が前記摩擦力低減構造物により前記スライドへの伝達が抑制されることを特徴とする請求項１１に記載の試料収納体。
【請求項１３】
前記蓋体の下面に前記蓋体裏面との水平方向の摩擦係数が小さくなる摩擦力低減構造物を設け、前記蓋体の水平方向の回転力が前記摩擦力低減構造物により前記スライドへの伝達が抑制されることを特徴とする請求項１１または１２に記載の試料収納体。
【請求項１４】
前記収納管と螺合または嵌合し、前記収納管に対する蓋となる蓋体と、
前記収納管の上面開口を直接密封するパッキンを備え、
前記パッキンにおける前記蓋体裏面への対向面に、前記蓋体裏面との摩擦係数が小さくなる摩擦力低減構造物を設け、
前記蓋体の前記収納管への螺合または嵌合時に前記蓋体の内面に生じる水平方向の回転力と垂直方向の押下力のうち、前記蓋体の水平方向の回転力は前記パッキンに伝達させず、前記蓋体の垂直方向の押下力のみを前記パッキンに伝達させることを特徴とする請求項１から５のいずれか１項に記載の試料収納体。
【請求項１５】
前記摩擦力低減構造物が複数の小突起であり対向面に対する接触面積を小さくする構造物であることを特徴とする請求項１４に記載の試料収納体。
【請求項１６】
光透過性素材で形成され、上面開口を持ち、内部に保持している試料の観察を可能とした収納管と、
前記収納管の底面から側面にかけて一体に被せて外装させた、光学式読み取り手段により読み取り可能なコード情報が直接書き込まれた媒体である不透明書き込み外装体と、
前記不透明書き込み外装体と螺合または嵌合し、前記収納管の上面開口に対する蓋となる蓋体と、
前記不透明書き込み外装体において、前記コード情報が書き込まれる書き込み領域以外の領域に設けられ、前記収納管に外装された状態において内部の前記試料の観察が可能となる少なくとも１つの窓とを備え、
前記不透明書き込み外装体と前記蓋体により前記収納管を封止し、前記不透明書き込み外装体に書き込まれている前記コード情報の読み取りと、前記窓を介した内部の前記試料の観察とを可能とした、不透明書き込み外装体を外装させた試料収納体。
【発明の詳細な説明】
【技術分野】
【０００１】
本発明は、多数の試料を保管・収納するために使用される試料収納体に関するものであり、試料を保管・収納する上で多様な用途に用いられ得るものである。例えば、創薬用試料を封入し、保管・収納する用途がある。また、医学分野においてはＤＮＡ等の遺伝子情報を保有する試料・検体を保存・収納する用途がある。
【背景技術】
【０００２】
医薬品や化学品の研究・開発において、多数の試料を収納管に保管・収納することは広くおこなわれている。例えば、比較対照実験のために条件や配合などを少しずつ変えたサンプルを多数制作し、それらを必要期間にわたり管理しつつ保管・収納する等である。
上記のように同時に多数の収納管を管理・保管するためには、各々の収納管を識別する必要がある。以前では収納管外表面に試料名や識別番号を直接手書きするなどしていたが、近年において、収納管の側面や底面に試料の諸データや管理情報をコード化したバーコードや二次元コードなどを書き込んでおき、管理の過程において当該バーコードや二次元コードなどを読み取って管理する試料収納体が注目を集めている。
従来技術における、上記バーコードや二次元コードなどを側面や底面に書き込まれた試料収納体の構造を示す。たとえば、図２２（ａ）または図２２（ｂ）に示すように、試料を収める筒状の容器本体１０と、上面開口を直接密封する蓋体２０とを備えた構造となっている。
容器本体１０は試料を収める筒体であり、いわゆる収納管のような形状をしている。なお、容器本体１０の外表面に何らかの構造を作り込むことはコスト高を招くためシンプルな収納管形状となっているケースがほとんどである。この例ではガラス製となっている。
蓋体２０は、容器本体１０の上面開口を封止するためのものであり、図２２（ａ）に示す蓋体２０は例えばゴム栓やプラスチック栓のごとき蓋である。容器本体１０に対して蓋体２０を上から押し込むことにより、容器本体１０の上面開口が隙間なく塞がれ、容器本体１０の上面開口が完全に密封される。
図２２（ｂ）に示す蓋体２０は螺合により容器本体１０に取り付ける蓋である。蓋体２０を回転させて螺合して行くことにより、容器本体１０の上面開口が隙間なく塞がれ、容器本体１０の上面開口が完全に密封される。なお、蓋体の裏面にパッキン３０が設けられている場合がある。
【発明の開示】
【発明が解決しようとする課題】
【０００３】
上記従来技術の試料収納体によれば、その側面や底面にバーコードや二次元コードをインクなどで直接印字することができ、そのバーコードや二次元コードを読み取ることで試料収納体の管理を行うことができる。
しかし、上記従来技術の試料収納体には、以下に示す改善すべき余地がある。それは、試料収納体外表面のバーコードや二次元コードと、試料収納体内部の試料との重なりによる誤認識である。特に側面に大きくバーコードを表示した場合には試料収納体内部の試料との重なりによる誤認識の可能性が大きくなる。試料収納体の主用途は内部の試料の管理であるので、内部の試料の状態が目視できるように容器本体１０は透明素材となっている。バーコードや二次元コードは容器本体１０の外表面に直接印字された場合、透明である容器本体１０の表面に黒色などのバーやドットが描かれることとなるが、このままバーコードや二次元コードを読み取ると、容器本体１０の表面に描かれた黒色のバーやドットと内部の試料が重なって見えるため、スキャナ装置などの読み取り装置が誤認識するおそれが生じてしまう。特に試料が透明な液体などでなく、色調が濃い有彩色や濁りがある場合にはスキャナ装置などの読み取り装置が誤認識してしまうおそれが高くなる。また、人が目視する場合であっても数字や記号の読み取りが困難となる。
つまり、内部の試料の観察・目視を遮らないという課題と、外表面のバーコードや二次元コードの読み取りにおいて内部の試料の色調・濁り等の影響を受けないという課題を同時に解決しなければならないが、従来の試料収納体はこの相反する２つの課題を同時に解決するものではなかった。
第２の改善点は、容器本体１０と蓋体２０との摩擦による容器上面開口端面の割れである。
蓋体２０を取り付ける際の各構成部品の動きは以下に示すようになる。
蓋体２０を容器本体１０に螺合して行くと蓋体２０全体が水平方向に回転しつつ徐々に垂直方向に押し込まれていき、蓋体２０の裏面も容器本体１０の上面開口面に対して水平方向に回転しつつ垂直方向に押下される。パッキン３０が設けられている場合は蓋体２０の動きに合わせてパッキン３０が容器本体１０の上面開口面に対して水平方向に回転しつつ垂直方向に押下される。以下、パッキン３０が設けられている構成例で説明する。
容器本体１０の上面開口面には蓋体２０の回転力が伝達されるので、容器本体１０の上面開口に対してパッキン３０が押しつけられた状態で回転する。
ここで、容器本体１０がガラス素材で形成されている場合、ガラス加工の製造工程から手作業となることも多く、上面開口端面は綺麗な端面とはならずに、図２３（ａ）のように歪みや突起などが生じていることがある。
このように容器本体１０の上面開口の上縁端面に歪みや突起などが生じている場合において、容器本体１０の上面開口に対してパッキン３０が押しつけられた状態で回転すると、図２３（ｂ）に示すように容器本体１０の歪みや突起に接しているパッキン３０が破損したり傷ついたりしてしまうおそれがあった。パッキン３０が破損したり傷ついたりすると容器本体１０の上面開口の密閉性が失われ、保管・収納中に試料が外気にさらされてしまうこととなってしまう。
また、容器本体１０の上面開口端面の突起がパッキン３０との回転摩擦により折れてしまい、容器本体１０の中の試料の中に混入してしまうおそれもあった。突起が折れた上面開口付近にはひびや窪みができ、容器本体１０の密閉性が失われ、やはり、保管・収納中に試料が外気にさらされてしまうこととなってしまう。
上記第１の問題点に鑑み、本発明は、内部の試料の目視を遮らないという課題と、外表面のバーコードや二次元コードの読み取りにおいて内部の試料の色調・濁りなどの影響を受けないという課題を同時に解決し、試料収納体外表面のバーコードや二次元コードを誤認識することなく良好に読み取ることができる試料収納体を提供することを目的とする。
また、上記第２の問題点に鑑み、本発明は、蓋体の不透明書き込み外装体への螺合時に蓋体の内面に生じる水平方向の回転力と垂直方向の押下力のうち、水平方向の回転力はパッキンには伝達させず、垂直方向の押下力のみがパッキンに伝達され、パッキンを容器本体の上面開口上端に押し付けることができる試料収納体を提供することを目的とする。
【課題を解決するための手段】
【０００４】
上記目的を達成するため、本発明の試料収納体は、光透過性素材で形成され、上面開口を持ち、内部に保持している試料の観察を可能とした収納管と、前記収納管の底面から側面にかけて一体に被せて外装させた、光学式読み取り手段により読み取り可能なコード情報が直接書き込まれた媒体である不透明書き込み外装体と、前記不透明書き込み外装体と螺合または嵌合し、前記収納管の上面開口に対する蓋となる蓋体と、前記不透明書き込み外装体において、前記コード情報が書き込まれる書き込み領域以外の領域に設けられ、前記収納管に外装された状態において内部の前記試料の観察が可能となる少なくとも１つの窓とを備え、前記不透明書き込み外装体と前記蓋体により前記収納管を封止し、前記不透明書き込み外装体に書き込まれている前記コード情報の読み取りと、前記窓を介した内部の前記試料の観察とを可能とした、不透明書き込み外装体を外装させたものである。
コード情報書き込み済みのものである場合は、コード情報は、コード情報書き込み領域のうち、収納管の底面に対応する個所のみ、側面に対応する個所のみ、底面に対応する個所と側面に対応する個所の双方に書き込まれたものがある。
前記不透明書き込み外装体を不透明なプラスチック素材とすることにより、前記コード情報書き込み領域を通した前記収納管を不可視とし、前記光学式読み取り手段による前記コード情報の読み取りおいて前記収納管の中にある前記試料の色調・濁りの影響を受けないようにすることが好ましい。
上記構成により、窓を通じて内部の試料の目視を行うことができ、また、バーコードや二次元コードを書き込む媒体が不透明な書き込み媒体であるため、バーコードや二次元コードと内部の試料が重なって見えることはなく、その読み取りにおいて試料の色調・濁りなどの影響を受けることがない。
ここで、コード情報の不透明書き込み外装体の書き込みにおいて、バーコードまたはドットコードの色と、不透明書き込み外装体の素材色との関係で２通りの書き込み方法がある。
第１の書き込み方法は、前記不透明書き込み外装体の素材色が、前記コード情報の表示においてバーまたはドットとして表現される色と同色であり、前記不透明書き込み外装体に対する前記コード情報の直接書き込みが、前記コード情報の表示においてバーまたはドットとなる部分以外の部分を前記素材色から異なる色に発色させることにより前記コード情報を表現するものである。
第２の書き込み方法は、前記不透明書き込み外装体の素材色が、前記コード情報の表示においてバーまたはドットとして表現される色と異なる色であり、前記不透明書き込み外装体に対する前記コード情報の直接書き込みが、前記コード情報の表示においてバーまたはドットとなる部分を前記素材色から前記異なる色に発色させることにより前記コード情報を表現するものである。
ここで、一般にバーコードや二次元コードは、２色のコントラストで表現され、黒色と白色の２色であればもっともコントラストが高くなる。不透明書き込み外装体全体を黒色であれば、コード情報書き込み領域の一部分を黒色から白色へ発色するが、バーまたはドットとなる部分を黒色、下地の部分を白色とみる場合、バーまたはドットとなる部分以外の部分を黒色から白色を発色させるということになり、一方、バーまたはドットとなる部分を白色、下地の部分を黒色とみる場合、バーまたはドットとなる部分を黒色から白色を発色させるということになる。
次に、上記第２の目的を達成するため、本発明の試料収納体は、上記第１の構成に加えて、前記収納管の上面開口を直接密封するパッキンと、前記蓋体の裏面と前記パッキンの間に間挿され、前記蓋体の水平方向の回転力の前記パッキンへの伝達を抑制するスライド板とを備えた構造とし、前記蓋体の前記不透明書き込み外装体への螺合または嵌合時に前記蓋体の内面に生じる水平方向の回転力と垂直方向の押下力のうち、前記蓋体の水平方向の回転力は前記パッキンに伝達させず、前記蓋体の垂直方向の押下力のみを前記パッキンに伝達させるものである。
水平方向の回転力と垂直方向の押下力の制御を行う手段としては複数通りの手段がある。
第１の手段は、前記スライド板上面に前記蓋体裏面との水平方向の摩擦係数が小さくなる摩擦力低減構造物を設ける手段であり、前記蓋体の水平方向の回転力が前記摩擦力低減構造物により前記スライドへの伝達を抑制するものである。
第２の手段は、前記蓋体の下面に前記蓋体裏面との水平方向の摩擦係数が小さくなる摩擦力低減構造物を設け、前記蓋体の水平方向の回転力が前記摩擦力低減構造物により前記スライドへの伝達を抑制するものである。
第３の手段は、上記第１の手段および第２の手段のスライド板のような構造物は設けず、前記パッキンの上面、つまり前記蓋体裏面への対向面側に前記蓋体裏面との摩擦係数が小さくなる摩擦力低減構造物を設け、前記蓋体の水平方向の回転力が前記摩擦力低減構造物により前記スライドへの伝達を抑制するものである。
例えば、摩擦力低減構造物が複数の小突起であれば対向面との水平方向の摩擦力が小さくなる。
次に、本発明の収納管として、コード情報がまだ書き込まれていない状態で提供することも可能である。つまり、光透過性素材の透明または半透明素材で形成され、上面開口を持ち、内部に保持している試料の観察を可能とした収納管と、前記収納管の底面から側面にかけて一体に被せて外装させた、光学式読み取り手段により読み取り可能なコード情報の書き込み媒体となる不透明書き込み外装体と、前記不透明書き込み外装体と螺合または嵌合し、前記収納管の上面開口に対する蓋となる蓋体と、前記不透明書き込み外装体において、前記コード情報が書き込まれる書き込み領域以外の領域に設けられ、前記収納管に対して外装された状態において内部の前記試料の観察が可能となる少なくとも１つの窓とを備え、前記不透明書き込み外装体と前記蓋体により前記収納管を封止し、前記不透明書き込み外装体に対する前記コード情報の直接書き込みと、前記窓を介した内部の前記試料の観察とを可能とした、不透明書き込み外装体を外装させた試料収納体という形で提供できる。
【発明の効果】
【０００５】
本発明にかかる試料収納体によれば、外表面のバーコードや二次元コードは不透明書き込み外装体に直接書き込むことができ、当該媒体は不透明であるため、不透明書き込み外装体を介して内部の試料が重なって見えることはなく、バーコードや二次元コードを誤認識することなく良好に読み取ることができる。
また、本発明にかかる試料収納体によれば、蓋体の不透明書き込み外装体への螺合時に蓋体の内面に生じる水平方向の回転力と垂直方向の押下力のうち、水平方向の回転力はパッキンには伝達させず、垂直方向の押下力のみがパッキンに伝達されるようにすることができる。そのため水平方向の回転力によりパッキンが破損したり傷ついたりすることがなくなり、収納管の開口上縁の突起が折れたりすることもなくなる。
【図面の簡単な説明】
【０００６】
第１図は、本発明の第１の試料収納体１００の構造を模式的に示す図である。
第２図は、本発明の第１の試料収納体１００の斜視図である。
第３図は、第１の試料収納体１００を構成部品に分解した分解図である。
第４図は、不透明書き込み外装体１２０におけるコード情報の書き込み方法の一例を示す図である。
第５図は、試料収納体１００の内部に試料を入れて様々な角度から見た状態を示す図である。
第６図は、従来型の試料収納体５００の内部に試料２００を入れて見た様子を示す図である。
第７図は、不透明書き込み外装体１２０の外形が円形の試料収納体の例を示す図である。
第８図は、不透明書き込み外装体１２０の外形が方形の試料収納体の例を示す図である。
第９図は、本発明の第２の試料収納体１００ａの構造を模式的に示す図である。
第１０図は、第２の試料収納体１００ａを構成部品に分解した分解図である。
第１１図は、図９のＡ−Ａ断面図の上部を拡大して示した図および蓋体１３０を螺合してゆく動作におけるスライド板１５０の作用を模式的に簡単に説明する図である。
第１２図は、従来型の試料収納体における上部を拡大して示した図および蓋体を螺合してゆく動作における各部にかかる力を模式的に説明する図である。
第１３図は、本発明の第３の試料収納体１００ｂの構造を模式的に示す図である。
第１４図は、第３の試料収納体１００ｂを構成部品に分解した分解図である。
第１５図は、図１３のＡ−Ａ断面図の上部を拡大して示した図および蓋体１３０ｂを螺合してゆく動作における摩擦力低減構造物１３２ｂの作用を模式的に説明する図である。
第１６図は、本発明の第４の試料収納体１００ｃの構造を模式的に示す図である。
第１７図は、第４の試料収納体１００ｃを構成部品に分解した分解図である。
第１８図は、図１６のＡ−Ａ断面図の上部を拡大して示した図および蓋体１３０ｃを螺合してゆく動作における摩擦力低減構造物１５３ｃの作用を模式的に説明する図である。
第１９図は、本発明の第５の試料収納体１００ｄの構造を模式的に示す図である。
第２０図は、第５の試料収納体１００ｄを構成部品に分解した分解図である。
第２１図は、図１９のＡ−Ａ断面図の上部を拡大して示した図および蓋体１３０ｄを螺合してゆく動作における摩擦力低減構造物１４３ｄの作用を模式的に説明する図である。
第２２図は、従来の試料収納体１０の構造を模式的に示す図である。
第２３図は、従来の試料収納体１０で蓋体３０を取り付ける際の各構成部品の動きを示す図である。
【発明を実施するための形態】
【０００７】
以下、図面を参照しつつ、本発明の試料収納体の実施例を説明する。ただし、本発明の範囲は以下の実施例に示した具体的な用途、形状、個数などには限定されないことは言うまでもない。
【実施例１】
【０００８】
本発明の実施例１に係る試料収納体１００について説明する。
図１は、本発明の第１の試料収納体１００の構造を模式的に示す図である。正面図、右側面図、背面図、平面図、底面図、Ａ−Ａ断面図が示されている。また、図２は斜視図、図３は第１の試料収納体１００を各構成部品ごとに示した図である。
図１から図３に示すように、第１の試料収納体１００は、収納管１１０、不透明書き込み外装体１２０、蓋体１３０、パッキン１４０を備えた構造となっている。
なお、図１に示すように、不透明書き込み外装体１２０の素材色は黒色であるが、他の図面では、見やすくするために不透明書き込み外装体１２０の彩色を省略している場合がある。また、一次元のバーコードや二次元ドットコードなどのコード情報１２７は黒色のバーや黒色のドットであるが、一部の図面では図面を見やすくするために黒色で塗りつぶさずにバーやドットの輪郭線のみとして描いている図面がある。
収納管１１０は、上面に上面開口１１１を持ち、試料を収める筒状の容器である。上面開口の上縁１１２は端面を形成し、後述するようにパッキン１４０の下面１４２と接する部分となっている。なお、この構成例では、収納管１１０は円筒形をしている例であるが、用途などに合わせて他の形状であっても良い。収納管１１０は光透過性を有する透明または半透明の素材であり、ポリプロピレンなどのプラスチック素材、ガラス素材など、素材自体は試料収納に適したもので内部の試料の観察が可能なものであれば良い。紫外線などの影響を低減するために半透明とする場合、白色のものや褐色のものであっても内部の試料の観察が可能であれば良い。
不透明書き込み外装体１２０は、収納管１１０の底面から側面にかけて一体に被せて外装させたものであり、収納管１１０に外装されている状態にてコード情報が直接書き込める媒体となっている。この例では黒色となっており、後述するように白色に発色させることができるものとなっている。なお、一部図面においては分かりやすくするように黒色の彩色を省略している図がある。
不透明書き込み外装体１２０の内壁面形状としては、収納管１１０が円筒形であるので、不透明書き込み外装体１２０の内周壁面が合致する形状、つまり円筒形となっている。収納管１１０に対して被せて、接着剤を介さずに嵌合により直接外装させるものとなっている。
不透明書き込み外装体１２０の外壁面形状は必ずしも収納管１１０の形状にはよらず多様な形状が可能である。
不透明書き込み外装体１２０の上端には上面開口１２１がある。この上面開口１２１を介して収納管を不透明書き込み外装体１２０の中に挿入したり取り出したりする。不透明書き込み外装体開口の上縁１２２は端面を形成している。
不透明書き込み外装体１２０の上部の外周にはネジ部１２３が設けられている。この例では雄ネジとなっている。このネジ１２３は後述するように蓋体１３０のネジ部１３３と対応して螺合するものとなっている。
次に、不透明書き込み外装体１２０の側面は、バーコードや二次元コードなどのコード情報が書き込まれるスペースとなる側面書き込み領域１２４となっている。この例では後述するように不透明書き込み外装体１２０はベースの黒色から白色に発色可能となっており、どこの領域でも書き込み領域足り得るが、この例では側面ではその一部を側面書き込み領域１２４としている。このように側面の側面書き込み領域１２４にバーコードや二次元コードを印字して識別情報を持たせておけば、試料収納体１００を側方から側面書き込み領域１２４を非接触でスキャンすることにより試料収納体１００の識別情報を読み取ることができる。
また、不透明書き込み外装体１２０の側面には内挿された収納管１１０が外部から観察できるように側面書き込み領域１２４以外のエリアに窓１２５が設けられている。この窓１２５を介して保管・収納している試料の状態などを外部から容易に観察することができる。
また、この構成例では、不透明書き込み外装体１２０の下部先端には円板平面状の底面書き込み領域１２６が設けられた形状となっている。この底部は試料収納体１００が自立できるようにする役割と、二次元コードなどを印字できる媒体となる底面書き込み領域１２６を設ける役割を兼ねている。前述したように不透明書き込み外装体１２０は底部から側面にかけて一体に設けられており、底面書き込み領域１２６も印字媒体として二次元コードなどを印字できる領域となっている。このように底面書き込み領域１２６にも二次元コードを印字して識別情報を持たせておけば、試料収納体１００を下方から底面書き込み領域１２６を非接触でスキャンすることにより試料収納体１００の識別情報を読み取ることができる。
図４は、不透明書き込み外装体１２０におけるコード情報の書き込み方法の一例を示す図である。図４（ａ）はコード情報を書き込む前の不透明書き込み外装体１２０である。ベースとなる黒色となっている。この不透明書き込み外装体のベースの黒色は、バーコードまたは二次元コードにおいてバーまたはドットとなる部分の色、つまり、黒色と同色となっていることが特徴である。この不透明書き込み外装体１２０の表面には熱により白く発色する性質を持つ樹脂が塗布されている。
図４（ｂ）はサーマルヘッドによりバーまたはドットとなる部分以外で下地の色となるべき部分を黒色から白色に発色させた様子を示す図である。この例ではバーコードが書き込まれている。このように、不透明書き込み外装体１２０に対してコード情報を直接書き込むことができ、その方法が、バーまたはドットを黒いインクなどで書き込むのではなく、バーまたはドット以外の下地となる領域を白色に発色させるものとなっている。
この構成例では、側面の側面書き込み領域１２４と底面書き込み領域１２６の双方にコード情報が書き込まれている。
蓋体１３０は、収納管１１０の上面開口１１１を塞ぐための蓋であり、この構成例では蓋体１３０の裏面１３１により不透明書き込み外装体１２０の上端の上面開口１２１も塞ぐものとなっている。
この構成例では蓋体１３０の内周壁面にはネジ部１３３が設けられており、この例では雌ネジとなっており、不透明書き込み外装体１２０のネジ部１２３と螺合し合うものとなっている。この不透明書き込み外装体１２０のネジ部１２３と螺合し合うことにより蓋体１３０と不透明書き込み外装体１２０がしっかりと固定される構造となっている。なお、不透明書き込み外装体１２０の内部に収まっている収納管１１０は不透明書き込み外装体１２０と蓋体１３０とパッキン１４０により囲まれて内部に封止される。
パッキン１４０は、収納管１１０の上面と蓋体１３０の裏面１３１の間に介在し、収納管１１０の上面開口１１１を直接密封するものである。
本発明の第１の試料収納体１００は、以上の構成要素を備えている。
次に、本発明の試料収納体１００を用いたバーコードや二次元コードの書き込みによる情報の担持について説明する。本発明の試料収納体１００内の試料の目視の状況とバーコードや二次元コードの明瞭な読み取りの様子を説明する。
図５は、試料収納体１００の内部に試料２００を入れて様々な角度から見た状態を示す図である。図５（ａ）、図５（ｂ）、図５（ｃ）の順に試料の色が薄い色から濃い色となっている。
不透明書き込み外装体１２０は不透明（例えば黒色）なプラスチック素材であり、側面方向からは、側面書き込み領域１２４を通した収納管１１０は不可視となり、光学式読み取り手段によるコード情報の読み取りにおいて、図５（ａ）、図５（ｂ）、図５（ｃ）のいずれであっても収納管１１０の中にある試料２００の色調・濁りによる影響を受けない様子が分かる。つまり、側面書き込み領域１２４のバーコードが明瞭に見えている。また、図５（ｄ）に示すように、底面方向から底面１２６を通した収納管１１０も不可視となり、光学式読み取り手段によるコード情報の読み取りにおいて収納管１１０の中にある試料２００の色調・濁りによる影響を受けない。つまり、底面書き込み領域１２６の二次元コードが明瞭に見えている。
一方、図６は、本発明の試料収納体ではない従来型の試料収納体５００の内部に試料２００を入れて見た様子を示す図である。図６（ａ）、図６（ｂ）、図６（ｃ）の順に試料２００の色が薄い色から濃い色となっている。従来型の試料収納体５００は収納管が内部の試料２００の様子が良く見えるように光透過性の透明または半透明素材でできているため、本発明のようにバーコードを直接印字するものであれば、当該収納管外表面上に直接印字したものとなるので試料２００が重なって見え、光学式読み取り手段によるコード情報の読み取りにおいて、図６（ａ）、図６（ｂ）、図６（ｃ）のいずれであっても収納管５００の中にある試料２００の色調・濁りによる影響を受けてしまう様子が分かる。つまり、側面書き込み領域１２４のバーコードが明瞭には見えず、誤認識してしまうおそれがある。また、図６（ｄ）に示すように、底面方向からの読み取りにおいても、光学式読み取り手段によるコード情報の読み取りにおいて収納管５００の中にある試料２００の色調・濁りによる影響を受けてしまうことが分かる。つまり、側面書き込み領域１２６の二次元コードが明瞭には見えず、誤認識してしまうおそれがある。
以上のように、窓１２５を通じて内部の試料の目視を行うことができ、また、バーコードや二次元コードを書き込む媒体が不透明な書き込み媒体（側面書き込み領域１２４、底面書き込み領域１２６）であるため、バーコードや二次元コードと内部の試料２００が重なって見えることはなく、その読み取りにおいて試料２００の色調・濁りなどの影響を受けない。
上記の試料収納体１００において不透明書き込み外装体１２０や蓋体１３０の外形状は特に限定されず図１に示したものは一例であり、様々なタイプがある。例えば、図７、図８に示すようなものがある。図７のタイプは不透明書き込み外装体１２０の外形が円形のもの、図８のタイプは不透明書き込み外装体１２０の外形が方形のものである。
上記の試料収納体１００を用いた管理手法は運用によりいろいろなものが想定でき、特に限定されない。例えば、試料収納体１００に関するデータは総て割り当てられたインデックスの下で、コンピューターによってチェック・管理され、各測定値は予め設定された上下限と照合され、外れた場合は再測定・測定ミスの検出・警告等がなされ、或いは複数回測定による平均値の算出・インプット等の処理を行うことができる。その他、試験過程における蓋体と不透明書き込み外装体との照合による、蓋体の差し違えの検出・自動差し替え、更に同一データの複数領域への重複保存機能を利用して、保管または試験中に汚染或いは損傷されたデータが発生した場合、複数データの照合による校正、自動修復等ヒューマン・エラーのバック・アップ機能を持たせる運用も可能である。また、試料収納体１００を試料収納体ラックに収納し、コンピューターにより管理・保管され、試験に使用する時には自動的に取り出され指定の場所に移送して試料を試験に供することもできる。また、試験終了後要すれば蓋体を閉止して、元の収納個所へ収納する操作もコンピューターにより自動的に操作できる。
【実施例２】
【０００９】
本発明の実施例２に係る試料収納体１００ａについて説明する。実施例２は、スライド板１５０を備えた構成例である。
図９は、本発明の第２の試料収納体１００ａの構造を模式的に示す図である。正面図、右側面図、背面図、平面図、底面図、Ａ−Ａ断面図、Ｂ−Ｂ断面図が示されている。また、図１０は第２の試料収納体１００ａを各構成部品に分解した分解図である。
図９から図１０に示すように、第１の試料収納体１００ａは、収納管１１０、不透明書き込み外装体１２０、蓋体１３０、パッキン１４０に加え、スライド板１５０を備えた構造となっている。
収納管１１０、不透明書き込み外装体１２０、蓋体１３０、パッキン１４０の各構成要素は実施例１と同様で良いのでここでの説明は省略する。
蓋体１３０を締める際のスライド板１５０の役割について述べる。
図１１（ａ）は、図９のＡ−Ａ断面図の上部を拡大して示した図である。図１１（ｂ）は、蓋体１３０を螺合してゆく動作におけるスライド板１５０の作用を模式的に簡単に説明する図である。
図１１（ａ）に示すように、この構成例では、パッキン１４０の上面１４１はスライド板１５０の下面１５２に接し、パッキン１４０の下面１４２は収納管１１０の上縁１１２に接する構造となっている。なお、この構成例では、収納管１１０と不透明書き込み外装体１２０のそれぞれの上縁１１２および上縁１２２が略同一平面にあるため、パッキン１４０は不透明書き込み外装体１２０の上縁１２２にも接するものとなっている。
スライド板１５０は、蓋体の裏面１３１とパッキン１４０の上面１４１の間に間挿された板状の構造物である。蓋体裏面１３１側と接するスライド板の上面１５１には、蓋体裏面１３１との水平の回転摩擦係数が小さくなる摩擦力低減構造物１５３が設けられている。
この例では、摩擦力低減構造物１５３は、複数の小突起であり対向面に対する接触面積を小さくする構造物となっている。
図１１（ｂ）に示すように、蓋体１３０を不透明書き込み外装体１２０に対して螺合して行くと、本来、蓋体の裏面１３１には水平方向の回転力と垂直方向の押下力が生じる。ここで、蓋体裏面１３１側と接する面において、摩擦力低減構造物１５３を持つスライド板１５０が設けられているので、蓋体の裏面１３１からの水平方向の回転力と垂直方向の押下力はスライド板１５０を介してパッキン１４０に伝えられる。ここで、スライド板１５０の摩擦力低減構造物１５３があるためスライド板１５０全体は、蓋体１３０の回転には連動せずに静止したままとなる。つまり、蓋体１３０は水平方向に空回りすることとなる。このように、この蓋体１３０による水平方向の回転力と垂直方向の押下力のうち、水平方向の回転力はスライド板１５０およびパッキン１４０には伝達されない。
一方、図１１（ｂ）に示すように、摩擦力低減構造物１５３は回転方向の摩擦力は小さくするものの垂直方向の押下力には影響は与えず、垂直方向の押下力はそのままスライド板１５０およびパッキン１４０に伝達されることとなる。つまり、蓋体１３０を締める本来の目的である、パッキン１４０を下方向に押し下げて収納管の上面開口１１１を密封するという目的は達せられることとなる。
このように、スライド板１５０が介在することにより、パッキン１４０が水平方向に回転せず垂直方向に押下されるのみとなり、収納管の上縁１１２に歪みや突起があった場合であってもパッキン１４０が破損したり傷ついたりすることなく収納管の上縁１１２に密着することができる。
ここで、スライド板１５０がない場合の試料収納体の場合を比較参照しておく。図１２（ａ）は、スライド板１５０がない従来型の試料収納体の上部を拡大して示した図である。図１２（ｂ）は、蓋体１３０を螺合してゆく動作における各部にかかる力を模式的に簡単に説明する図である。
図１２（ｂ）に示すように、蓋体１３０を不透明書き込み外装体１２０に対して螺合して行くと、本来、蓋体の裏面１３１には水平方向の回転力と垂直方向の押下力が生じるが、蓋体裏面１３１全体がパッキン１４０の上面１４１に対して接しているのでパッキン１４０の上面１４１には大きな回転摩擦力が生じてしまう。このように、この蓋体１３０による水平方向の回転力と垂直方向の押下力のうち、水平方向の回転力も垂直方向の押下力もパッキン１４０に伝達され、パッキン１４０がその回転摩擦力により回転してしまうおそれがある。パッキン１４０が回転してしまうと収納管１１０の上縁１１２に存在する歪みや小突起でパッキン１４０が破損したり傷ついたりするおそれが生じてしまう。
図１１と図１２の比較からも分かるように、本発明の第２の試料収納体１００ａによれば、摩擦力低減構造物１５３を備えたスライド板１５０が介在することにより、蓋体１３０の不透明書き込み外装体１２０への螺合時に蓋体１３０の裏面１３１に生じる水平方向の回転力と垂直方向の押下力のうち、水平方向の回転力はパッキン１４０には伝達されず、垂直方向の押下力のみがパッキン１４０に伝達され、パッキン１４０を収納管の開口上端１１２に押し付けることができ、水平方向の回転力によりパッキンが破損したり傷ついたりすることがなくなり、収納管の開口上縁１１２の突起が折れたりすることもなくなる。
【実施例３】
【００１０】
実施例３にかかる本発明の第３の試料収納体１００ｂの例を示す。
本発明の第３の試料収納体は、パッキン１４０と蓋体１３０ｂの裏面との間にスライド板１５０ｂを設け、蓋体１３０ｂの裏面側に摩擦力低減構造物１３２ｂを持った構造としたものである。
図１３は、本発明の第３の試料収納体１００ｂの構造を模式的に示す図である。正面図、右側面図、平面図、底面図、Ａ−Ａ断面図、Ｂ−Ｂ断面図が示されている。また、図１４は第３の試料収納体１００ｂを各構成部品に分解した分解図である。
図１３に示すように、第３の試料収納体１００ｂは、収納管１１０、不透明書き込み外装体１２０、蓋体１３０ｂ、パッキン１４０、スライド板１５０ｂを備えた構造となっている。ここで、蓋体１３０ｂとスライド板１５０ｂとを除き、収納管１１０、不透明書き込み外装体１２０、パッキン１４０は実施例１で説明したものと同様のもので良いのでここでの説明は省略する。
図１４に示すように、蓋体１３０ｂは、収納管１１０の上面開口１１１を塞ぐための蓋である点は実施例２と同様であるが、実施例３の構成では裏面１３１に摩擦力低減構造物１３２ｂが設けられている。この例では、摩擦力低減構造物１３２ｂは、実施例２と同様、複数の小突起であり対向面に対する接触面積を小さくする構造物となっている。
一方、スライド板１５０ｂは、蓋体の裏面１３１とパッキン１４０の上面１４１の間に間挿された板状の構造物である点は実施例２と同様であるが、実施例３の構成では摩擦力低減構造物１５３が設けられていない。
実施例３における、蓋体１３０ｂを締める動作における蓋体１３０ｂおよびスライド板１５０ｂの役割について述べる。図１５（ａ）は、図１４のＡ−Ａ断面図の上部を拡大して示した図である。図１５（ｂ）は、蓋体１３０ｂを螺合してゆく動作における摩擦力低減構造物１３２ｂの作用を模式的に簡単に説明する図である。
図１５に示すように、蓋体１３０ｂを不透明書き込み外装体１２０に対して螺合して行くと、蓋体の裏面１３１には水平方向の回転力と垂直方向の押下力が生じる。ここで、蓋体の裏面１３１側には摩擦力低減構造物１３２ｂが設けられており、スライド板１５０ｂと蓋体１３０ｂは面的な接触はなく、この摩擦力低減構造物１３２ｂを介して接することとなる。
蓋体の裏面１３１からの水平方向の回転力と垂直方向の押下力は蓋体裏面の摩擦力低減構造物１３２ｂがあるため、スライド板１５０ｂおよびパッキン１４０には水平方向の回転力は伝達されず、スライド板１５０ｂおよびパッキン１４０は静止したまま、つまり、蓋体１３０ｂはスライド板１５０ｂに対して水平方向には空回りすることとなる。
一方、摩擦力低減構造物１３２ｂは回転方向の摩擦力は小さくするものの垂直方向の押下力には影響は与えず、垂直方向の押下力はそのままスライド板１５０ｂからパッキン１４０に伝達されることとなる。つまり、蓋体１３０ｂを締める本来の目的である、パッキン１４０を下方向に押し下げて収納管の開口１１１を密封するという目的は達せられることとなる。
以上、実施例３の試料収納体１００ｂによれば、蓋体１３０の裏面とスライド板１５０ｂとの間で摩擦力低減構造物１３２ｂが介在することにより、パッキン１４０が水平方向に回転せず垂直方向に押下されるのみとなるので、収納管の上縁１１２に歪みや突起があった場合であってもパッキン１４０が破損したり傷ついたりすることなく収納管の上縁１１２に密着することができる。
【実施例４】
【００１１】
実施例４にかかる本発明の第４の試料収納体１００ｃの例を示す。
本発明の第４の試料収納体は、パッキン上面側と接する下面１５２において摩擦力低減構造物１５３ｃを持つスライド板を設けた構造としたものである。
図１６は、本発明の第４の試料収納体１００ｃの構造を模式的に示す図である。正面図、右側面図、平面図、底面図、Ａ−Ａ断面図、Ｂ−Ｂ断面図が示されている。また、図１７は第４の試料収納体１００ｃを各構成部品に分解した分解図である。
図１７に示すように、第４の試料収納体１００ｃは、収納管１１０、不透明書き込み外装体１２０、蓋体１３０、パッキン１４０、スライド板１５０ｃを備えた構造となっている。ここで、スライド板１５０ｃを除く、収納管１１０、不透明書き込み外装体１２０、蓋体１３０、パッキン１４０は実施例１で説明したものと同様のもので良いので、ここでの説明は省略する。
スライド板１５０ｃは、蓋体の裏面１３１とパッキン１４０の上面１４１の間に間挿された板状の構造物である点は実施例１と同様であるが、スライド板の下面１５２には、パッキンの上面１４１との水平の回転摩擦係数が小さくなる摩擦力低減構造物１５３ｃが設けられている。この例では、摩擦力低減構造物１５３ｃは、実施例１と同様、複数の小突起であり対向面に対する接触面積を小さくする構造物となっている。
実施例４における、蓋体１３０を締める動作におけるスライド板１５０ｃの役割について述べる。図１８（ａ）は図１６のＡ−Ａ断面図の上部を拡大して示した図である。図１８（ｂ）は蓋体１３０を螺合してゆく動作における摩擦力低減構造物１５３ｃの作用を模式的に簡単に説明する図である。
蓋体１３０を不透明書き込み外装体１２０に対して螺合して行くと、本来、蓋体の裏面１３１にはパッキン１４０の上面に対する水平方向の回転力と垂直方向の押下力が生じる。ここで、パッキンの上面１４１側と接する下面１５２において、摩擦力低減構造物１５３ｃを持つスライド板１５０ｃが設けられているので、蓋体の裏面１３１からの水平方向の回転力と垂直方向の押下力はスライド板１５０ｃを介してパッキン１４０に伝えられる。ここで、スライド板１５０の摩擦力低減構造物１５３ｃがあるため、スライド板１５０全体は蓋体１３０と面として接して回転摩擦力が発生し得るが、スライド板１５０ｃとパッキン１４０の間には摩擦力低減構造物１５３ｃが介在するためパッキン１４０には水平方向の回転力は伝達されず、パッキン１４０は静止したまま、つまり、蓋体１３０の回転に対して、パッキン１４０は確実に水平方向に空回りすることができる。このように、この水平方向の回転力と垂直方向の押下力のうち、水平方向の回転力はパッキン１４０には伝達されない。
一方、摩擦力低減構造物１５３ｃは回転方向の摩擦力は小さくするものの垂直方向の押下力には影響は与えず、垂直方向の押下力はそのままスライド板１５０ｃからパッキン１４０に伝達されることとなる。つまり、蓋体１３０を締める本来の目的である、パッキン１４０を下方向に押し下げて収納管の開口１１１を密封するという目的は達せられることとなる。
以上、実施例４の試料収納体１００ｃによれば、摩擦力低減構造物１５３ｃを備えたスライド板１５０ｃが介在することにより、蓋体１３０の不透明書き込み外装体１２０への螺合時に蓋体１３０の裏面１３１に生じる水平方向の回転力と垂直方向の押下力のうち、水平方向の回転力はパッキン１４０には伝達されず、垂直方向の押下力のみがパッキン１４０に伝達され、パッキン１４０を収納管の開口上端１１２に押し付けることができ、水平方向の回転力によりパッキンが破損したり傷ついたりすることがなくなり、収納管の開口上縁１１２の突起が折れたりすることもなくなる。
【実施例５】
【００１２】
実施例５にかかる本発明の第５の試料収納体１００ｄの例を示す。
本発明の第５の試料収納体１００ｄは、パッキンの上面に、蓋体裏面との摩擦係数が小さくなる摩擦力低減構造物１４３ｄを設けた構造としたものである。
図１９は、本発明の第５の試料収納体１００ｄの構造を模式的に示す図である。正面図、右側面図、平面図、底面図、Ａ−Ａ断面図、Ｂ−Ｂ断面図が示されている。また、図２０は第５の試料収納体１００ｄを各構成部品に分解した分解図である。
図１９に示すように、第５の試料収納体１００ｄは、収納管１１０、不透明書き込み外装体１２０、蓋体１３０、パッキン１４０ｄを備えた構造となっている。ここで、パッキン１４０ｄを除く、収納管１１０、不透明書き込み外装体１２０、蓋体１３０は実施例１で説明したものと同様のもので良いので、ここでの説明は省略する。
パッキン１４０ｄは、収納管１１０の上面と蓋体１３０の裏面１３１の間に介在し、収納管１１０の開口１１１を直接密封するものである点は実施例１、実施例２、実施例３と同様であるが、実施例５の構成例では、パッキン１４０ｄの上面１４１には、蓋体裏面１３１との水平の回転摩擦係数が小さくなる摩擦力低減構造物１４３ｄが設けられている。
この例では、摩擦力低減構造物１４３ｄは、複数の小突起であり対向面に対する接触面積を小さくする構造物となっている。
蓋体１３０を締める動作におけるパッキン１４０ｄの摩擦力低減構造物１４３ｄの役割について述べる。図２１（ａ）は図２０のＡ−Ａ断面図の上部を拡大して示した図である。図２１（ｂ）は蓋体１３０を螺合してゆく動作におけるパッキン１４０ｄの摩擦力低減構造物１４３ｄの作用を模式的に簡単に説明する図である。
蓋体１３０を不透明書き込み外装体１２０に対して螺合して行くと、本来、蓋体の裏面１３１にはパッキン１４０ｄの上面に対する水平方向の回転力と垂直方向の押下力が生じる。蓋体の裏面１３１からの水平方向の回転力と垂直方向の押下力はパッキン１４０ｄに伝えられるが、パッキンの上面１４１側には摩擦力低減構造物１４３ｄが設けられており回転摩擦力が小さくなるため、蓋体１３０の裏面とパッキンの摩擦力低減構造物１４３ｄの間で空回りが起こり、パッキン１４０ｄには水平方向の回転力は伝達されず、パッキン１４０ｄは静止したまま、つまり、蓋体１３０は、パッキン１４０ｂに対して水平方向に空回りする。このように、この水平方向の回転力と垂直方向の押下力のうち、水平方向の回転力はパッキン１４０ｄには伝達されない。
一方、摩擦力低減構造物１４３ｄは回転方向の摩擦力は小さくするものの垂直方向の押下力には影響は与えず、垂直方向の押下力はそのままパッキン１４０ｄに伝達されることとなる。つまり、蓋体１３０を締める本来の目的である、パッキン１４０ｄを下方向に押し下げて収納管の開口１１１を密封するという目的は達せられることとなる。
以上、実施例５の試料収納体１００ｄによれば、摩擦力低減構造物１４３ｄを上面１４１に備えたパッキン１４０ｄを用いることにより、蓋体１３０の不透明書き込み外装体１２０への螺合時に蓋体１３０の裏面１３１に生じる水平方向の回転力と垂直方向の押下力のうち、水平方向の回転力はパッキン１４０ｄには伝達されず、垂直方向の押下力のみがパッキン１４０ｄに伝達され、パッキン１４０ｄを収納管の開口上端１１２に押し付けることができ、水平方向の回転力によりパッキン１４０ｄが破損したり傷ついたりすることがなくなり、収納管の開口上縁１１２の突起が折れたりすることもなくなる。
以上、本発明の試料収納体の構成例における好ましい実施例を説明してきたが、本発明の技術的範囲を逸脱することなく種々の変更が可能であることは理解されるであろう。従って本発明の技術的範囲は添付された特許請求の範囲の記載によってのみ限定されるものである。
【産業上の利用可能性】
【００１３】
本発明の試料収納体は、多数の試料を保管・収納するために使用される試料収納体に広く用いることができる。一例としては、創薬用試料を封入し、保管・収納する試料収納体に用いることができる。また他の例としては、医学分野においてはＤＮＡ等の遺伝子情報を保有する試料・検体を保存・収納する試料収納体にも用いることができる。
【図２】
2009150881.tif 000003
【図３】
2009150881.tif 000004
【図７】
2009150881.tif 000005
【図８】
2009150881.tif 000006
【図９】
2009150881.tif 000007
【図１０】
2009150881.tif 000008
【図１１】
2009150881.tif 000009
【図１２】
2009150881.tif 000010
【図１３】
2009150881.tif 000011
【図１４】
2009150881.tif 000012
【図１５】
2009150881.tif 000013
【図１６】
2009150881.tif 000014
【図１７】
2009150881.tif 000015
【図１８】
2009150881.tif 000016
【図１９】
2009150881.tif 000017
【図２０】
2009150881.tif 000018
【図２１】
2009150881.tif 000019
【図２２】
2009150881.tif 000020
【図２３】
2009150881.tif 000021
【図１】
2009150881.tif 000022
【図４】
2009150881.tif 000023
【図５】
2009150881.tif 000024
【図６】
2009150881.tif 000025
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
光透過性素材で形成され、上面開口を持ち、内部に保持している試料の観察を可能とした収納管と、
前記収納管の底面から側面にかけて一体に被せて外装させた、光学式読み取り手段により読み取り可能なコード情報が直接書き込まれた媒体である不透明書き込み外装体と、
前記不透明書き込み外装体と螺合または嵌合し、前記収納管の内壁面とは直接螺合または嵌合せず、前記収納管の上縁端にその裏面またはパッキンを押し当てて前記収納管の上面開口に対する蓋となる蓋体を備え、
前記不透明書き込み外装体が、前記コード情報が書き込まれる書き込み領域以外の領域に、前記試料の観察が可能となる側面開口である少なくとも１つの窓を備え、前記収納管を内部に密封せずに前記収納管の外壁に外装させる構造であり、
前記不透明書き込み外装体に書き込まれている前記コード情報の読み取りと、前記窓を介した内部の前記試料の観察とを可能とした、不透明書き込み外装体を外装させた試料収納体。
【請求項２】
前記コード情報書き込み領域のうち、前記収納管の底面に対応する個所と側面に対応する個所の双方に前記コード情報が書き込まれている請求項１に記載の試料収納体。
【請求項３】
前記不透明書き込み外装体を不透明なプラスチック素材とすることにより、前記コード情報書き込み領域を通した前記収納管を不可視とし、前記光学式読み取り手段による前記コード情報の読み取りにおいて前記収納管の中にある前記試料の色調・濁りによる影響を受けないようにしたことを特徴とした請求項１または２に記載の試料収納体。
【請求項４】
前記不透明書き込み外装体の素材色が、前記コード情報の表示においてバーまたはドットとして表現される色と同色であり、
前記不透明書き込み外装、体に対する前記コード情報の直接書き込みが、前記コード情報の表示においてバーまたはドットとなる部分以外の部分を前記素材色から異なる色に発色させることにより前記コード情報を表現するものである請求項１から３のいずれか１項に記載の試料収納体。
【請求項５】
前記不透明書き込み外装体の素材色が、前記コード情報の表示においてバーまたはドットとして表現される色と異なる色であり、
前記不透明書き込み外装体に対する前記コード情報の直接書き込みが、前記コード情報の表示においてバーまたはドットとなる部分を前記素材色から前記異なる色に発色させることにより前記コード情報を表現するものである請求項１から３のいずれか１項に記載の試料収納体。
【請求項６】
前記収納管の上面開口を直接密封するパッキンと、
前記蓋体の裏面と前記パッキンの間に間挿され、前記蓋体の水平方向の回転力の前記パッキンへの伝達を抑制するスライド板とを備え、
前記蓋体の前記不透明書き込み外装体への螺合または嵌合時に前記蓋体の内面に生じる水平方向の回転力と垂直方向の押下力のうち、前記蓋体の水平方向の回転力は前記パッキンに伝達させず、前記蓋体の垂直方向の押下力のみを前記パッキンに伝達させることを特徴とする請求項１から５のいずれか１項に記載の試料収納体。
【請求項７】
前記スライド板上面に前記蓋体裏面との水平方向の摩擦係数が小さくなる摩擦力低減構造物を設け、前記蓋体の水平方向の回転力が前記摩擦力低減構造物により前記スライドへの伝達が抑制されることを特徴とする請求項６に記載の試料収納体。
【請求項８】
前記蓋体の下面に前記蓋体裏面との水平方向の摩擦係数が小さくなる摩擦力低減構造物を設け、前記蓋体の水平方向の回転力が前記摩擦力低減構造物により前記スライドへの伝達が抑制されることを特徴とする請求項６または７に記載の試料収納体。
【請求項９】
前記不透明書き込み外装体と螺合または嵌合し、前記収納管に対する蓋となる蓋体と、
前記収納管の上面開口を直接密封するパッキンを備え、
前記パッキンにおける前記蓋体裏面への対向面に、前記蓋体裏面との摩擦係数が小さくなる摩擦力低減構造物を設け、
前記蓋体の前記不透明書き込み外装体への螺合または嵌合時に前記蓋体の内面に生じる水平方向の回転力と垂直方向の押下力のうち、前記蓋体の水平方向の回転力は前記パッキンに伝達させず、前記蓋体の垂直方向の押下力のみを前記パッキンに伝達させることを特徴とする請求項１から５のいずれか１項に記載の試料収納体。
【請求項１０】
前記摩擦力低減構造物が複数の小突起であり対向面に対する接触面積を小さくする構造物であることを特徴とする請求項９に記載の試料収納体。
【請求項１１】
前記収納管と螺合または嵌合し、前記収納管の上面開口に対する蓋となる蓋体と、
前記収納管の上面開口を直接密封するパッキンと、
前記蓋体の裏面と前記パッキンの間に間挿され、前記蓋体の水平方向の回転力の前記パッキンへの伝達を抑制するスライド板とを備え、
前記蓋体の前記収納管への螺合または嵌合時に前記蓋体の内面に生じる水平方向の回転力と垂直方向の押下力のうち、前記蓋体の水平方向の回転力は前記パッキンに伝達させず、前記蓋体の垂直方向の押下力のみを前記パッキンに伝達させることを特徴とする請求項１から５のいずれか１項に記載の試料収納体。
【請求項１２】
前記スライド板上面に前記蓋体裏面との水平方向の摩擦係数が小さくなる摩擦力低減構造物を設け、前記蓋体の水平方向の回転力が前記摩擦力低減構造物により前記スライドへの伝達が抑制されることを特徴とする請求項１１に記載の試料収納体。
【請求項１３】
前記蓋体の下面に前記蓋体裏面との水平方向の摩擦係数が小さくなる摩擦力低減構造物を設け、前記蓋体の水平方向の回転力が前記摩擦力低減構造物により前記スライドへの伝達が抑制されることを特徴とする請求項１１または１２に記載の試料収納体。
【請求項１４】
前記収納管と螺合または嵌合し、前記収納管に対する蓋となる蓋体と、
前記収納管の上面開口を直接密封するパッキンを備え、
前記パッキンにおける前記蓋体裏面への対向面に、前記蓋体裏面との摩擦係数が小さくなる摩擦力低減構造物を設け、
前記蓋体の前記収納管への螺合または嵌合時に前記蓋体の内面に生じる水平方向の回転力と垂直方向の押下力のうち、前記蓋体の水平方向の回転力は前記パッキンに伝達させず、前記蓋体の垂直方向の押下力のみを前記パッキンに伝達させることを特徴とする請求項１から５のいずれか１項に記載の試料収納体。
【請求項１５】
前記摩擦力低減構造物が複数の小突起であり対向面に対する接触面積を小さくする構造物であることを特徴とする請求項１４に記載の試料収納体。
【手続補正２】
【補正対象書類名】明細書
【補正対象項目名】０００５
【補正方法】変更
【補正の内容】
【０００５】
上記目的を達成するため、本発明の試料収納体は、光透過性素材で形成され、上面開口を持ち、内部に保持している試料の観察を可能とした収納管と、前記収納管の底面から側面にかけて一体に被せて外装させた、光学式読み取り手段により読み取り可能なコード情報が直接書き込まれた媒体である不透明書き込み外装体と、前記不透明書き込み外装体と螺合又は嵌合し、前記収納管の内壁面とは螺合又は嵌合せず、その裏面又はパッキンを前記収納管の上縁端に押し当てて前記収納管の上面開口に対する蓋となる蓋体を備え、前記不透明書き込み外装体が、前記コード情報が書き込まれる書き込み領域以外の領域に、前記試料の観察が可能となる側面開口である少なくとも１つの窓を備え、前記収納管を内部に密封せずに前記収納管の外壁に外装させる構造であり、前記不透明書き込み外装体に書き込まれている前記コード情報の読み取りと、前記窓を介した内部の前記試料の観察とを可能としたものである。
コード情報書き込み済みのものである場合は、コード情報は、コード情報書き込み領域のうち、収納管の底面に対応する個所のみ、側面に対応する個所のみ、底面に対応する個所と側面に対応する個所の双方に書き込まれたものがある。
前記不透明書き込み外装体を不透明なプラスチック素材とすることにより、前記コード情報書き込み領域を通した前記収納管を不可視とし、前記光学式読み取り手段による前記コード情報の読み取りおいて前記収納管の中にある前記試料の色調・濁りの影響を受けないようにすることが好ましい。
上記構成により、窓を通じて内部の試料の目視を行うことができ、また、バーコードや二次元コードを書き込む媒体が不透明な書き込み媒体であるため、バーコードや二次元コードと内部の試料が重なって見えることはなく、その読み取りにおいて試料の色調・濁りなどの影響を受け
【手続補正３】
【補正対象書類名】図面
【補正対象項目名】図９
【補正方法】変更
【補正の内容】
【図９】
2009150881.tif 000026
【手続補正４】
【補正対象書類名】図面
【補正対象項目名】図１０
【補正方法】変更
【補正の内容】
【図１０】
2009150881.tif 000027
【国際調査報告】
2009150881.tif 000028
2009150881.tif 000029
2009150881.tif 000030
2009150881.tif 000031